(57)【要約】【課題】軽度の尿失禁等の微量の体液の吸収性能を適正に評価することができるトルソー及びトルソーを用いた評価方法を提供する。【解決手段】胴部２と、前記胴部２に連なる一対の大腿部３とを備え、模擬体液漏出用の単一または複数の開口部５，６と、前記開口部５，６に模擬体液を供給する送液チューブ５ｂ、６ｂを取り付ける取付け部５ａ，６ａとが設けられているトルソーに、評価対象を装着し、開口部５，６から模擬体液を漏出させ、所定時間経過後に評価対象の吸水性能を評価する。【選択図】図１
2013164277.tif 000002
【特許請求の範囲】
【請求項１】
評価対象の吸水性能評価用のトルソーであって、
胴部と、前記胴部に連なる一対の大腿部とを備え、
模擬体液漏出用の単一または複数の開口部と、
前記開口部に模擬体液を供給する送液チューブを取り付ける取付け部と、
と、が設けられているトルソー。
【請求項２】
外尿道口を模擬する開口部が股部に形成されるとともにその径が５ｍｍから１５ｍｍの範囲に設定され、前記送液チューブから自然流下する模擬体液が前記開口部から自然流出するように構成されている請求項１記載のトルソー。
【請求項３】
外尿道口を模擬する開口部が前記胴部の下腹部の中央及び左右に形成されるとともにその径が５ｍｍから１５ｍｍの範囲に設定され、前記送液チューブから自然流下する模擬体液が前記開口部から自然流出するように構成されている請求項１または２記載のトルソー。
【請求項４】
前記胴部及び大腿部が透光性の合成樹脂で形成されている請求項１から３の何れかに記載のトルソー。
【請求項５】
評価対象の吸水性能を評価する評価方法であって、
請求項１から４の何れかに記載のトルソーに評価対象を装着する装着ステップと、
前記装着ステップの後に、前記開口部に取り付けられた送液チューブを介して所定の開口部から所定量の模擬体液を漏出させる模擬体液漏出ステップと、
前記模擬体液漏出ステップの後に、少なくとも所定時間待機する待機ステップと、
前記待機ステップの後に、前記評価対象品の吸水性能を評価する評価ステップと、
を含む評価方法。
【発明の詳細な説明】
【技術分野】
【０００１】
本発明は、トルソー及びトルソーを用いた評価方法に関し、例えば、軽度の尿失禁に対応可能な下着の吸水性能を評価するためのトルソー及びトルソーを用いた評価方法に関する。
【背景技術】
【０００２】
一般に、女性は出産時の体への負荷や、加齢によるホルモンバランスの変化などが原因で、３０代以降の世代で軽い「尿漏れ」があることが知られている。そして、更年期を迎える４０代半ばを境目に、軽い「尿漏れ」に悩む中高年女性の数は増加する。この年代の「尿漏れ」は、加齢とともに筋肉の弾力性が低下して、骨盤底筋や尿道括約筋が緩むことによって生じる腹圧性尿失禁が多く、更に加齢を重ねると、尿意を感じたときに我慢できない切迫性尿失禁の症状も現れる場合がある。
【０００３】
あまり認知されていないが、男性にも同様に「尿漏れ」があり、軽い「尿漏れ」に悩む中高年男性は以外に多い現実がある。
【０００４】
そのため、様々な尿失禁対策製品が開発されている。そのような下着の例が、特許文献１，２に開示されている。
【０００５】
特許文献１には、吸水性パッドをパンツの内面に装着する際、遮断片を介して装着することにより、ミシンの穿孔穴や縫目から尿などの体液が伝播し、滲み出す現象を未然に防止できるようにした失禁用パンツが提案されている。
【０００６】
また、特許文献２には、着用者の体液が外部に漏れるのを抑えるパッドが縫着又は装着可能なクロッチ部を備え、吸水パッドからの漏れが生じた場合であっても、着用時の不快感を抑えるための下着が提案されている。
【先行技術文献】
【特許文献】
【０００７】
【特許文献１】特許第４２６６６０４号公報
【特許文献２】特開２０１０‐２６１１３５号公報
【発明の概要】
【発明が解決しようとする課題】
【０００８】
これまで、乳幼児や老齢者用の紙オムツや生理用品等を含む吸水性製品の性能評価試験を試験室で行ない、一般公衆の面前で行ない、または不特定多数への放送を通じて行なう場合、所定容量の着色水を充填したシリンジ等から吸水パッドや吸水性生地の任意の位置に着色水を直接滴下して、その吸水状態や拡散状態を目視確認する方法が主に採用されていた。
【０００９】
尿失禁対策用の下着も同様に、平面上に載置された下着のマチ部の任意の位置に着色水を直接滴下して、その吸水状態や拡散状態を目視確認する方法が採用されていた。
【００１０】
しかし、このような評価試験方法では、実際の身体への着用時と漏洩状態が異なるため、必ずしも正確な評価結果が得られないという問題があった。例えば、実際に尿失禁対策用の下着が着用された場合には、様々な部位に張力や圧力が付与されてマチ部の伸びの状態や方向が変化し、非着用時とは生地の伸びや目開き等の状態が異なるためである。また、シリンジからマチ部に滴下される着色水の滴下位置が実際の漏洩位置と異なる場合が多いためでもある。
【００１１】
また、女性用の下着の場合には、軽度の尿失禁のみならず、閉経後の不正出血等予期せず排出された微量の体液の吸収性能も評価する必要があり、このような観点でも従来の評価方法では正確な評価結果が得られないという問題もあった。
【００１２】
さらに、男性用の下着の場合には、下着の中での外尿道口の位置が相対的に変動し、一定ではないという状況もあり、従来の評価方法では実際の着用状態での正確な評価結果が得られなかったのである。
【００１３】
本発明の目的は、上述した問題に鑑み、軽度の尿失禁等の微量の体液の吸収性能を適正に評価することができるトルソー及びトルソーを用いた評価方法を提供する点にある。
【課題を解決するための手段】
【００１４】
上述の目的を達成するため、本発明によるトルソーの第一の特徴構成は、特許請求の範囲の書類の請求項１に記載した通り、評価対象の吸水性能評価用のトルソーであって、胴部と、前記胴部に連なる一対の大腿部とを備え、模擬体液漏出用の単一または複数の開口部と、前記開口部に模擬体液を供給する送液チューブを取り付ける取付け部と、が設けられている点にある。
【００１５】
上述の構成によれば、評価対象となる下着等をトルソーに装着することによって、実際の身体への着用状態を模擬でき、その状態で送液チューブを介して送液された模擬体液が、実際の外尿道口等に対応する位置に形成された開口部から評価対象に注がれるので、実際の体液の漏れ位置と漏れ状態がほぼ正確に模擬でき、その結果、模擬体液が評価対象にどのように拡散し吸収されるかが正確に把握できるようになる。
【００１６】
同第二の特徴構成は、同請求項２に記載した通り、上述の第一の特徴構成に加えて、外尿道口を模擬する開口部が股部に形成されるとともにその径が５ｍｍから１５ｍｍの範囲に設定され、前記送液チューブから自然流下する模擬体液が前記開口部から自然流出するように構成されている点にある。
【００１７】
腹圧性尿失禁の場合、笑ったり咳やくしゃみをしたとき、テニスやゴルフなどのスポーツをしたとき、重い物を持ち上げたとき等に掛かる腹圧によって、一気に２ｍｌ程度の尿漏れが発生する。このような尿漏れのメカニズムを忠実に再現しようとすると、実際の外尿道口を模擬した小径の開口部から所定の加圧状態で模擬体液を放出するような複雑なメカニズムが必要となる。しかし、送液チューブから自然流下する模擬体液が、５ｍｍから１５ｍｍの範囲に径が設定された開口部から自然流出するように構成すれば、複雑なメカニズムを採用しなくても、２ｍｌ程度の模擬体液を現実の腹圧性尿失禁とほぼ同じように評価対象に向けて漏出できるようになる。
【００１８】
また、女性の股部に形成されている外尿道口の位置には個人差があるが、本願発明者らが鋭意調査した結果、それほど大きなばらつきは無く、最大でも約１０ｍｍ程度の範囲内に収まることが判明したため、開口部の径を５ｍｍから１５ｍｍの範囲に設定すれば、外尿道口の位置ばらつきにも対応でき、ほぼ正確な評価結果が得られるようになる。
【００１９】
同第三の特徴構成は、同請求項３に記載した通り、上述の第一または第二の特徴構成に加えて、外尿道口を模擬する開口部が前記胴部の下腹部の中央及び左右に形成されるとともにその径が５ｍｍから１５ｍｍの範囲に設定され、前記送液チューブから自然流下する模擬体液が前記開口部から自然流出するように構成されている点にある。
【００２０】
男性の尿失禁は、排尿後に尿道球部に溜まっていた尿がその後自然に漏れたり、前立腺の肥大によって発生する尿道の狭窄で十分に排尿されずに徐々に漏れるといった特徴を有する。女性に比べて尿道が長い男性の場合、下着の中で外尿道口の位置が固定されるものではないため、一定位置に形成された開口部から模擬体液を放出しても、十分な評価を行なうことができない。しかし、胴部の下腹部の中央及び左右に外尿道口を模擬する開口部を形成し、送液チューブから自然流下する模擬体液が、５ｍｍから１５ｍｍの範囲に径が設定された何れかの開口部から自然流出するように構成すれば、複雑なメカニズムを採用しなくても、所定量の模擬体液を現実の尿失禁とほぼ同じ時間で同じように評価対象に向けて漏出できるようになる。
【００２１】
同第四の特徴構成は、同請求項４に記載した通り、上述の第一から第三の何れかの特徴構成に加えて、前記胴部及び大腿部が透光性の合成樹脂で形成されている点にある。
【００２２】
透光性の合成樹脂でトルソーを構成すれば、評価対象に模擬体液が浸潤する様子が、評価対象の表面からではなく、肌側から確認できるようになり、実際の吸水状態や拡散状態を正確に評価できるようになる。透光性の合成樹脂として、例えば透明アクリル樹脂等を用いることができる。
【００２３】
本発明による評価方法は、同請求項５に記載した通り、評価対象品の吸水性能を評価する評価方法であって、上述した第一から第四の何れかの特徴構成を備えたトルソーに評価対象を装着する装着ステップと、前記装着ステップの後に、前記開口部に取り付けられた送液チューブを介して所定の開口部から所定量の模擬体液を漏出させる模擬体液漏出ステップと、前記模擬体液漏出ステップの後に、少なくとも所定時間待機する待機ステップと、前記待機ステップの後に、前記評価対象品の吸水性能を評価する評価ステップと、を含む点にある。
【００２４】
装着ステップで評価対象、例えば下着をトルソーに装着した後に、模擬体液漏出ステップを実行して開口部から所定量の模擬体液を漏出させる。漏出した模擬体液は、時間を経て評価対象に拡散し浸潤するため、直ちに評価しても現実と乖離することになる。そこで、待機ステップを介して所定時間経過した後に評価すれば、実際に着用した状態とほぼ同等の正確な評価が行なえるようになる。このような評価を通して各評価対象の吸水量、漏洩防止性能等を適正に比較評価することができるようになる。
【００２５】
さらに、このような性能評価を一般公衆の面前で行ない、または不特定多数への放送を通じて行なうことにより、評価対象の広告宣伝効果を高めることも可能になる。
【発明の効果】
【００２６】
以上説明した通り、本発明によれば、軽度の尿失禁等の微量の体液の吸収性能を適正に評価することができるトルソー及びトルソーを用いた評価方法を提供することができるようになった。
【図面の簡単な説明】
【００２７】
【図１】（ａ）は本発明による女性用トルソーの正面から見た外観図、（ｂ）は同正面下方から見上げた外観図
【図２】（ａ）は本発明によるトルソーの内部を示し、正面斜め上方から見下ろした外観図、（ｂ）はチューブを介して模擬体液を漏洩させる様子の説明図
【図３】本発明によるトルソーを用いた評価方法の説明図であり、（ａ）は装着ステップの説明図、（ｂ）は姿勢調整ステップの説明図、（ｃ）は模擬体液漏出ステップの説明図、（ｄ）は待機ステップ及び評価ステップの説明図
【図４】（ａ）は評価対象である下着の身体への装着状態の説明図、（ｂ）は同下着の表面の説明図、（ｃ）は同下着の裏面の説明図
【図５】トルソーを用いた評価の結果を説明する写真であり、（ａ），（ｂ），（ｃ）は図４の下着に対する評価の結果を説明する写真、（ｄ），（ｅ），（ｆ）は他の種類の下着に対する評価の結果を説明する写真
【図６】（ａ）は本発明による男性用トルソーの正面から見た外観図、（ｂ）は同正面下方から見上げた外観図
【発明を実施するための形態】
【００２８】
以下、本発明によるトルソー及びトルソーを用いた評価方法を図面に基づいて説明する。
【００２９】
図１（ａ）に示すように、女性用のトルソー１は、胴部２と、胴部２に連なる一対の大腿部３とが、内部が空洞となるように射出成型法等を用いて一体成型されている。材料としてアクリルやポリ塩化ビニル等の汎用プラスチック、フェノールやエポキシ等の熱硬化性樹脂等を用いることができ、肌の感触を再現するためにウレタン樹脂やシリコーン樹脂等の熱硬化性樹脂を用いて製作することも可能である。
【００３０】
図１（ｂ）に示すように、股部４には、膣口を模擬する開口部５と、外尿道口を模擬する開口部６が形成されている。これらの開口部５，６はともに径が９．５ｍｍに設定されている。
【００３１】
図２（ａ），（ｂ）に示すように、開口部５，６からトルソー１の内側面にボス部５ａ，６ａが突出形成され、各ボス部５ａ，６ａには径が１０．５ｍｍの送液チューブ５ｂ，６ｂの一端部が嵌め込まれている。つまり、ボス部５ａ，６ａが送液チューブ５ｂ，６ｂを取り付ける取付け部となる。
【００３２】
送液チューブ５ｂ，６ｂは樹脂製の透明チューブで、当該送液チューブ５ｂ，６ｂの他端部から模擬体液を送液すると、送液チューブ５ｂ，６ｂを伝って自然流下した模擬体液が開口部５，６からトルソー１の表面側に自然流出する。模擬体液として青色に着色された水溶液が使用されることが多い。図２（ｂ）に示すシリンジＳは、送液チューブ５ｂ，６ｂに送液するための所定量の模擬体液が充填されたシリンジである。
【００３３】
当該トルソー１は、正確な評価が行なえるように中年女性の平均的な体型を模して作成されており、汎用されている細身のトルソーよりもやや太めに形成されている。具体的には、ＪＩＳ  Ｌ  ４００５による婦人ヒップサイズのＭサイズの中心値で製作されている。尚、本実施形態では、前記したようなやや太めのトルソーを用いているが、汎用されている細身のトルソーを用いることも可能である。
【００３４】
また、膣口を模擬する開口部５及び外尿道口を模擬する開口部６は、身長１５６〜１７０ｃｍ、ヒップサイズ８８〜９８ｃｍの複数の被験者の測定結果に基づいて位置決めされている。具体的には、着用時に大きく伸縮しないように、ある程度大きなサイズで伸縮性に乏しい生地を使用したショーツを各被験者が着用したときの膣口の位置及び外尿道口の位置をショーツにマーキングし、当該マーキング位置に基づいて開口部５,６の位置を決定している。
【００３５】
双方とも大きな個人差は見られず、それぞれ直線距離で最大１０ｍｍ程度の位置ばらつきが見られる程度であった。そのため、開口部５,６の径を５ｍｍから１５ｍｍの範囲に設定することにより、個体差である位置ばらつきを吸収することができるようになる。開口部のサイズは８ｍｍから１２ｍｍの範囲がさらに好ましく、本実施形態では９．５ｍｍに設定している。
【００３６】
例えば、腹圧性尿失禁の場合には、笑ったり咳やくしゃみをしたとき、テニスやゴルフなどのスポーツをしたとき、重い物を持ち上げたとき等に掛かる腹圧によって、瞬間に２ｍｌ程度の尿漏れが発生する。このような尿漏れのメカニズムを忠実に再現しようとすると、実際の外尿道口を模擬した小径の開口部から所定の加圧状態で模擬体液を放出するような複雑なメカニズムが必要となる。
【００３７】
しかし、送液チューブから自然流下する模擬体液が、５ｍｍから１５ｍｍの径に設定された開口部６から自然流出するように構成すれば、複雑なメカニズムを採用しなくても、２ｍｌ程度の模擬体液を現実の腹圧性尿失禁とほぼ同じような態様で評価対象に漏出できるようになる。
【００３８】
つまり、外尿道口の位置の個体差を吸収するとともに、模擬体液を現実の腹圧性尿失禁とほぼ同じように評価対象に向けて漏出できるという観点で、開口部６の径が設定されている。尚、開口部５の径も、不正出血や下り物等の微量の体液に対する評価という観点で開口部６と同等に設定されている。
【００３９】
このようなトルソー１を用いて、評価対象である軽度の尿失禁に対応した下着の吸水性能を評価する方法について説明する。
【００４０】
本発明による評価方法は、装着ステップと、姿勢調整ステップと、模擬体液漏出ステップと、待機ステップと、評価ステップとを含む。尚、姿勢調整ステップは必須ではなく、必要に応じて実行される。
【００４１】
図３（ａ）に示すように、装着ステップは、上述したトルソー１にショーツ８を装着するステップであり、図３（ｂ）に示すように、姿勢調整ステップは、ショーツ８が装着されたトルソー１を所定姿勢、ここでは立位姿勢に整えるべく上下反転させるステップである。尚、立位姿勢でトルソー１にショーツ８を装着すれば、姿勢調整ステップを実行する必要は無い。また、横臥姿勢等のように、立位姿勢とは異なる姿勢で評価する必要がある場合には、適宜姿勢調整ステップを実行すればよい。
【００４２】
さらに、図３（ｃ）に示すように、姿勢調整されたトルソー１に対して、模擬体液漏出ステップでは、開口部６に取り付けた送液チューブ６ｂの端部からシリンジ等を用いて所定量の模擬体液を注入し、外尿道口に対応する開口部６から模擬体液を漏出させる。
【００４３】
その後、図３（ｄ）に示すように、少なくとも所定時間待機する待機ステップを経て、評価対象ショーツ８の吸水性能が評価される。２ｍｌから３ｍｌ程度の模擬体液の漏出時には、約１分待機する必要がある。待機時間がこれより短い場合には、ショーツの生地に体液が十分に吸収されずに、体表面との間の空間に溜まった状態となり、正確に評価できないためである。図３（ｄ）には、ショーツ８のマチ部前縁部付近８ａから表面に模擬体液が漏出している状態が示されている。
【００４４】
評価ステップでは、下着の濡れ状態の目視確認のみならず、掌等の肌を接触させて濡れ状態を評価する接触確認等が行なわれる。身生地の表面側の評価のみならず、ショーツ８をトルソー１から離脱させて身生地の裏面側の評価も行なわれる。
【００４５】
複数種類のショーツ８に対して同様の評価を行ない、その結果を対比観察することにより、個々のショーツ８の相対的な評価を行なうことができる。このような性能評価を一般公衆の面前で行ない、または不特定多数への放送画面を通じて行なうことにより、評価対象の広告宣伝効果を高めることも可能になる。
【００４６】
このようなトルソー１を、透光性の合成樹脂材料、例えば、透明のアクリル樹脂等の材料を用いて製作すると、開口部６から模擬体液を漏出させたときの、ショーツ８の肌側の状態の変化を、トルソー１の内側から目視確認することもできるようになるので、さらに機能性が増す。
【００４７】
さらに、トルソー１の内部に光源を設置して、内部から照明すれば、ショーツの外表面から模擬体液が浸潤し拡散する様子が観察できるようになる。例えば、模擬体液に蛍光物質を混入し、内部で紫外線ランプを点灯すれば、模擬体液が浸潤し拡散する様子が蛍光物質の挙動を介して容易に目視確認できる。
【００４８】
つまり、評価対象となる下着８等をトルソー１に装着することによって、実際の身体への着用状態を模擬でき、その状態で送液チューブ６ｂを介して送液された模擬体液が、実際の外尿道口等に対応する位置に形成された開口部６から評価対象に注がれるので、実際の体液の漏れ位置と漏れ状態がほぼ正確に模擬でき、その結果、模擬体液が評価対象にどのように拡散し吸収されるかを正確に把握できるようになる。その結果、性能の高い軽失禁対策下着等を効率的に製作できるようになる。
【００４９】
図４（ａ）から（ｃ）には、軽度の尿失禁に対応したショーツ８が示されている。図４（ａ）に示すように、当該ショーツ８は、約３ｃｃ前後の量の軽い「尿漏れ」に悩む比較的若い世代の女性、例えば、３０代後半から４０代の女性用にデザインされ、アウターウェアとのバランス上、股上が浅く、腰周りが短いフィット感のあるファッション性に優れた下着に仕上げられている。
【００５０】
当該ショーツ８は、前身頃１３と後身頃１４とマチ部１５とから構成され、マチ部１５の肌側にはクロッチとなる吸水性の生地片１６が配置されている。当該吸水性の生地片１６は編地で構成され、複数枚の編地（本実施形態では二枚の編地６１，６２（図２参照））が重畳された状態で少なくともマチ部５の前縁部１５ａと後縁部１５ｂで身生地１２に縫着処理されている。当該吸水性の生地片６１，６２は互いにウェールが交差する姿勢で重畳配置されている。
【００５１】
具体的には、肌側の生地片６１は、ウェールがマチ部１５の左右幅方向に沿うように配置され、身生地１２側の生地片６２は、ウェールがマチ部１５の前後幅方向に沿うように配置されている。
【００５２】
生地片６１，６２は、熱変形性弾性糸とそれ以外の糸をプレーティング編みで編成し、ヒートセット加工で熱変形性弾性糸を溶融することによりほつれ止め加工した編地で構成されている。そして、肌側の生地片６１の左右の脇部は、その幅Ｗ１がマチ部１５の脇部の幅Ｗより幅狭に裁断され、そのエッジが切りっ放し処理され、身生地１２側の生地片６２の左右脇部は、マチ部１５の脇部の幅Ｗと同幅に裁断され、身生地１２と縫着処理されている。
【００５３】
ショーツ８の装着状態で、吸水性の生地片１６により外尿道口の周囲が被覆されるように、各編地６１，６２の前縁部１５ａが外尿道口に対応する位置より臍側で身生地１２に縫着処理されている。
【００５４】
このようなショーツ８を評価対象１とし、マチ部に吸水性の不織布を含む多層パッドが縫着され、当該パッドの前縁側の縫着部がこれまでの通常のショーツと同様の位置にあるショーツを評価対象２として、上述したトルソー１を用いて評価試験を行なった。共に身生地は綿糸を用いたフライス編地が用いられている。
【００５５】
図５（ａ）から（ｆ）にその結果の写真が示されている。図５（ａ）から（ｃ）が評価対象１の写真であり、図５（ｄ）から（ｆ）が評価対象２の写真である。図５（ｄ），（ｆ）の破線の円内に示されているように、評価対象２のショーツは、マチ部前縁近傍から左右の脇部にかけて模擬体液が身生地側に浸潤していることが判る。一方、評価対象１のショーツは、各編地６１，６２の前縁部１５ａが外尿道口に対応する位置より臍側で身生地１２に縫着処理されているために、マチ部前縁近傍を含めて身生地側に模擬体液が全く浸潤しておらず、生地片１６（６１，６２）で確実に保水されていることが判る。
【００５６】
このように、本発明によるトルソーを用いて評価試験を行なうことにより、実際と同等の状態で評価でき、評価対象の性能を正確に評価できるようになる。
【００５７】
上述した実施形態では、トルソーを用いて腹圧性尿失禁等の軽度の尿失禁に対応した下着の評価を行なう場合を説明したが、評価対象はこのような軽度の尿失禁に対応した下着に制限されるものではなく、切迫性尿失禁を含む比較的量の多い尿失禁を対象とした下着やサニタリーショーツを含む様々な吸収性製品の評価にも適用することができる。この場合、待機ステップに要する時間は約１分に固定されるものではなく、評価目的に応じて適宜設定することができる。
【００５８】
模擬体液漏出ステップで漏出させる模擬体液の液量は、尿失禁の重症度の客観的な判断の目安となる「１時間パッドテスト」での診断基準を基に、軽度から極めて高度までレベル分けして設定することもできる。
【００５９】
「１時間パッドテスト」とは尿失禁の重症度の客観的な目安となるテストで、５００ｍｌの水を飲ませた後に、主に腹圧性尿失禁を誘発する動作を１時間行なわせ、前後のパッド重量の差で失禁量を求めるテストで、２ｇ以下のとき「尿禁制あり」、２〜５ｇのとき「軽度」、５〜１０ｇのとき「中程度」、１０〜５０ｇのとき「高度」、５０ｇ以上のとき「極めて高度」と判定される。
【００６０】
そこで、このような数値に対応して、模擬体液の漏出液量を２ｍｌ、５ｍｌ、１０ｍｌ、５０ｍｌに設定することができる。
【００６１】
上述した実施形態では、評価ステップで評価対象の目視評価及び接触評価を行なう例を説明したが、評価項目はこれに限るものではなく、例えば、温度や湿度を計測して評価してもよい。そのため、装着ステップで評価対象とトルソー１の表面との間等に温度センサや湿度センサを設置してもよい。
【００６２】
これにより、尿失禁後の体温変化の程度や湿度変化の程度を評価することも可能になる。この場合には、予め模擬体液を人の体温程度に加温しておけばよい。さらに精度の高い評価を要する場合には、人の体温程度に加温した状態のトルソー１を、例えば常温常湿等に設定された恒温槽に設置して、上述の手順で評価を行なえばよい。
【００６３】
人の尿の組成を模擬した組成の模擬体液を用い、装着ステップで臭気センサを装着すれば、臭気の発生状況も評価できるようになる。
【００６４】
図６（ａ），（ｂ）には、本発明によるトルソーの別実施形態が示されている。当該トルソー１は透明素材を用いて作製した男性用のトルソー１であり、胴部２と、胴部２に連なる一対の大腿部３とが、内部が空洞となるように一体成型されている。
【００６５】
外尿道口を模擬する開口部が、股部４と胴部２のうち下腹部の中央上部、及び左右２箇所、全部で４箇所に形成されている。股部４に形成された開口部６０及び胴部に形成された開口部７１，７２，７３は、それぞれトルソー１表面の開口にシール部材９を介して埋め込まれた透明の円筒体で構成され、各円筒体の開口径はそれぞれ５ｍｍから１５ｍｍの範囲に設定されている。
【００６６】
各円筒体はトルソー１の内部空間に突出配置され、その端部にそれぞれ透明の送液チューブ７０が嵌め込まれている。つまり、各円筒体の端部が送液チューブを取り付ける取付け部となる。何れかの送液チューブ７０の端部から送液された模擬体液が送液チューブ７０を伝って対応する開口部６０，７１，７２，７３から自然流出するように構成されている。
【００６７】
男性の尿失禁は、排尿後に尿道球部に溜まっていた尿がその後自然に漏れたり、前立腺の肥大によって発生する尿道の狭窄で十分に排尿されずに徐々に漏れるといった特徴を有する。女性に比べて尿道が長い男性の場合、下着の中で外性器（陰茎）の姿勢が変動し、外尿道口の位置が一定位置に固定されるものではないため、トルソー１の一定位置に形成された開口部から模擬体液を放出しても、十分な評価を行なうことができない。
【００６８】
そこで、股部４、胴部２の下腹部の中央上部及び左右に外尿道口を模擬する開口部６０，７１，７２，７３を形成し、送液チューブ７０から自然流下する模擬体液が、５ｍｍから１５ｍｍの範囲に径が設定された何れかの開口部６０，７１，７２，７３から自然流出するように構成すれば、複雑なメカニズムを採用しなくても、所定量の模擬体液を現実の尿失禁とほぼ同じ時間で同じように評価対象に向けて漏出できるようになる。尚、開口部６０，７１，７２，７３の位置は、複数の被験者が同サイズのブリーフを着用し、外性器の姿勢を変化させたときの外尿道口の位置をモニタした結果、得られた平均的な位置に基づいて決定している。
【００６９】
上述した何れのトルソーであっても、送液チューブまたは開口部に、模擬体液の漏出を制御するバルブを設けてもよい。送液チューブの入口側と出口側の２箇所に設けると、予め所定量の模擬体液を送液チューブに充填しておき、評価試験時にバルブを開放操作することにより手際よく速やかに漏出させることができる。
【００７０】
各開口部に取り付ける送液チューブを可撓性のチューブにすれば、送液チューブ内に模擬体液を注入した後にチューブの軸が縦姿勢になるように手動操作することによって、姿勢調整ステップで調整されたトルソーがそのような姿勢であっても開口部に模擬体液を円滑に供給することができる。
【００７１】
トルソー１の空洞部または外部に模擬体液を貯留する貯留タンクを設置し、貯留タンクから延出するチューブを開口部に取り付けて、貯留タンクから定量の模擬体液を送液するバルブを備えてもよい。毎回シリンジを操作する必要が無くなる点で好ましい。さらに、バルブに替えて貯留タンクから模擬体液を送出するポンプ機構を備えてもよい。この場合、ポンプ機構によって送液される液量を設定する操作部と、設定された液量を送液するようにポンプ機構を自動制御する制御装置を備えることが好ましい。またさらに、所定時間間隔で所定量の模擬体液を自動送液する機能を備えた制御装置を備えてもよい。
【００７２】
上述した実施形態では、胴部に対して大腿部が固定されたトルソーを説明したが、模擬関節機構を介して大腿部を胴部に接続し、大腿部を可動に構成してもよい。
【００７３】
図６（ａ），（ｂ）で説明したトルソーでは、開口部を構成する円筒体を球ジョイント機構を介してトルソーに取り付けることにより、姿勢調整ステップで調整されたトルソーがどのような姿勢であっても開口部が下方を向くように調整でき、これによって模擬体液を円滑に漏出させることができる。
【００７４】
本発明によるトルソーは、腹圧性尿失禁対策下着の評価に用いるのみならず、男女を問わず各種の軽失禁対策下着や吸水性パッド等の評価に広く用いることができ、特に女性用のトルソーでは、不正出血や下り物等の微量の体液に対する評価も同時に行なうことができる。
【産業上の利用可能性】
【００７５】
本発明によるトルソーは、軽い「尿漏れ」対策下着等の性能評価を正確かつ迅速に行なえるとともに、消費者にデモンストレーション効果の高い広告宣伝活動を行なうために効果的に使用することができる。
【符号の説明】
【００７６】
１：トルソー
２：胴部
３：大腿部
４：股部
５：開口部
６：開口部
８：下着（ショーツ）
１２：身生地
１３：前身頃
１４：後身頃
１５：マチ部
１６，６１，６２：吸水性の生地片
【図１】
2013164277.tif 000003
【図２】
2013164277.tif 000004
【図３】
2013164277.tif 000005
【図４】
2013164277.tif 000006
【図５】
2013164277.tif 000007
【図６】
2013164277.tif 000008